(57)【要約】【課題】本発明は、離散的な階調表示方法を用いた表示装置に関するものであり、薄型・軽量のディスプレイ装置として知られているプラズマディスプレイ装置や液晶表示装置やＥＬ表示装置やＳＥＤ表示装置やＦＥＤ表示装置の階調表示方法及び装置に関するものであり、従来の技術では解消できない、画面端の境界線（テクスチャ）を除去することを目的とするものである。【解決手段】信号レベルをランダム且つ同じ割合で±ｎする信号レベル補正手段を任意の信号経路上に挿入することで画面端の境界線を除去する。【選択図】図１
2007108291.tif 000002
【特許請求の範囲】
【請求項１】
画素単位でサンプリングした多階調の信号レベルの階調数を変換する際に、注目画素の階調数変換誤差をその周辺の画素位置に対応させて記憶するための誤差記憶手段と、注目画素の入力レベルと前記誤差記憶手段内の注目画素位置に対応した集積誤差を加算し補正レベルを出力する入力補正手段と、前記補正レベルを予め定められた変換階調数に従って注目画素の階調数を変換する階調数変換手段と、前記補正レベルと階調数変換後レベルの差分により階調数変換誤差を求める差分演算手段と、前記階調数変換誤差を定常の配分係数か、定期的に切り替わる分配係数か、ランダムに切り替わる分配係数か、に従って注目画素の周辺の未処理画素に分配する誤差配分値を算出し前記誤差配分値を前記誤差記憶手段内の対応する画素位置の集積誤差と加算し再び記憶させる誤差演算分配手段と、を具備する画像信号処理装置において、信号経路上に挿入された信号レベルをランダム且つ同じ割合で±ｎする信号レベル補正手段を使用した画像信号処理方法。
【請求項２】
画素単位でサンプリングした多階調の信号レベルの階調数を変換する際に、注目画素の階調数変換誤差をその周辺の画素位置に対応させて記憶するための誤差記憶手段と、注目画素の入力レベルと前記誤差記憶手段内の注目画素位置に対応した集積誤差を加算し補正レベルを出力する入力補正手段と、前記補正レベルを予め定められた変換階調数に従って注目画素の階調数を変換する階調数変換手段と、前記補正レベルと階調数変換後レベルの差分により階調数変換誤差を求める差分演算手段と、前記階調数変換誤差を定常の配分係数か、定期的に切り替わる分配係数か、ランダムに切り替わる分配係数か、に従って注目画素の周辺の未処理画素に分配する誤差配分値を算出し前記誤差配分値を前記誤差記憶手段内の対応する画素位置の集積誤差と加算し再び記憶させる誤差演算分配手段と、を具備する画像信号処理装置において、信号経路上に挿入された信号レベルをランダム且つ同じ割合で±ｎする信号レベル補正手段と、入力信号のレベルやパターンや画素位置に応じて前記信号レベル補正手段の機能をＯＮ／ＯＦＦさせることと、入力信号のレベルやパターンや画素位置に応じて前記信号レベル補正手段の±ｎの値を変更させることと、前記誤差演算分配手段が分配係数を切り替える機能を有する場合には入力信号のレベルやパターンや画素位置に応じてその分配係数切り替え機能をＯＮ／ＯＦＦさせることと、入力信号のレベルやパターンや画素位置に応じて前記誤差演算分配手段の分配係数の値自体を変更させることと、が出来る乱数補正判定手段と、を使用した画像信号処理方法。
【請求項３】
画素単位でサンプリングした多階調の信号レベルの階調数を変換する際に、注目画素の階調数変換誤差をその周辺の画素位置に対応させて記憶するための誤差記憶手段と、注目画素の入力レベルと前記誤差記憶手段内の注目画素位置に対応した集積誤差を加算し補正レベルを出力する入力補正手段と、前記補正レベルを予め定められた変換階調数に従って注目画素の階調数を変換する階調数変換手段と、前記補正レベルと階調数変換後レベルの差分により階調数変換誤差を求める差分演算手段と、前記階調数変換誤差を定常の配分係数か、定期的に切り替わる分配係数か、ランダムに切り替わる分配係数か、に従って注目画素の周辺の未処理画素に分配する誤差配分値を算出し前記誤差配分値を前記誤差記憶手段内の対応する画素位置の集積誤差と加算し再び記憶させる誤差演算分配手段と、を具備する画像信号処理装置において、前記誤差演算分配手段が分配係数を切り替える機能を有する場合には入力信号のレベルやパターンや画素位置に応じてその分配係数切り替え機能をＯＮ／ＯＦＦさせることと、入力信号のレベルやパターンや画素位置に応じて前記誤差演算分配手段の分配係数の値自体を変更させることと、が出来る乱数補正判定手段と、を使用した画像信号処理方法。
【請求項４】
請求項１もしくは請求項２もしくは請求項３記載の画像信号処理方法を使用した表示装置。
【発明の詳細な説明】
【技術分野】
【０００１】
本発明は、離散的な階調表示方法を用いた表示装置に関するものであり、薄型・軽量のディスプレイ装置として知られているプラズマディスプレイ装置や液晶表示装置やＥＬ表示装置やＳＥＤ表示装置やＦＥＤ表示装置の階調表示方法及び装置に関するものである。
【背景技術】
【０００２】
プラズマディスプレイ装置など離散的な階調表示方法を用いた表示装置において信号処理時の階調数と表示時の階調数が異なる場合に表示画像を滑らかにする方法の一つとして誤差拡散法がある。基本的な誤差拡散法（非特許文献１参照）はアナログデータをデジタルデータに変換する際に使用されているが、前記のようにデジタルデータからデジタルデータへ情報量（≒ｂｉｔ数≒階調数）を変換する際に使用される誤差拡散法は特開平７−１０５３６３号により知られている。この誤差拡散法により自然画など比較的変化に富んだ画像においては滑らかな階調表現が可能となったが、信号レベル変化の少ない画像や計算機で生成された均一な信号レベルの画像などでは周期的なテクスチャが発生してしまう。このテクスチャの発生の主たる原因は、注目画素の周辺画素に対する階調数変換誤差の配分の割合が注目画素と常に一定の相対的位置関係に保持されているためである。
【０００３】
従来の誤差拡散法は図４に示すように、入力端子４００から入力された映像信号Ｉｘｙと誤差記憶手段４０６の（ｘ，ｙ）座標に当たる集積誤差Ｓｘｙの記憶位置４０７に記憶されている集積誤差Ｓｘｙを入力補正手段４０１において加算し補正信号Ｉ'ｘｙとする。前記補正信号Ｉ'ｘｙは階調数変換手段４０３において変換階調数入力端子４０２から入力される値に従って出力信号Ｐｘｙとなり出力端子４０４から出力されるが、このとき差分演算手段４０５において「補正信号Ｉ'ｘｙ−出力信号Ｐｘｙ＝誤差信号Ｅｘｙ」の演算がなされ、前記誤差信号Ｅｘｙは誤差演算分配手段４２０において決められた分配係数に従い誤差記憶手段４０６の周辺画素領域４０８のＡＢＣＤに分配記憶されるものである。
【０００４】
従来の誤差拡散法では階調数変換誤差Ｅｘｙを誤差演算分配手段４２０において任意であり定常の配分係数か、任意であり定期的に切り替わる分配係数か、に従って注目画素４０７の周辺の未処理画素４０８へ分配していたため注目画素の周辺画素に対する階調数変換誤差の配分の割合が注目画素と常に一定の相対的位置関係に保持され周期的なテクスチャが発生していたが、特許第１９３９２０２号に示されるように分配係数を任意でありランダムに切り替わる分配係数にすることにより周期的なテクスチャの発生は低減させることが出来ていた。
【０００５】
ところがこの方法を用いた場合においても取りきれないテクスチャが存在する。従来の誤差拡散法において誤差の拡散は図５の点線矢印５０３に示すように画面左上から始まり右端へ向かって処理が進み、１行下がってまた左端から右端へ向かって誤差の拡散処理が進むという処理の繰り返しになる。このとき画面上端と画面左端では図４に示す階調数変換手段４０３において階調数が変換されるとき出力信号Ｐｘｙへ桁上がりする量の誤差が溜り切らない領域５０１となる。この領域５０１が生じるメカニズムを、画面全領域に輝度が１０．１２５の均一な信号が入力されたとき、整数部を８ビットの表示信号Ｐｘｙ、小数部を４ビットの誤差信号Ｅｘｙとして扱い、図５に示す分配係数Ｋａ〜ＫｄがそれぞれＫａ＝０、Ｋｂ＝０、Ｋｃ＝１、Ｋｄ＝０という極端な条件を例にして説明する。１行目のｘ列の画素（ｘ、１）に入力信号Ｉｘ１が１０進数で１０．１２５ｄつまり２進数では００００１０１０．００１０ｂで入力されたとする。今回の分配係数の場合誤差記憶手段４０６には１行目に対応する誤差量Ｓｘ１は０で記憶されているので入力補正手段４０１では補正がかかることなくＩ'ｘ１は００００１０１０．００１０ｂとなり階調数変換手段４０３において各画素の出力信号Ｐｘ１は００００１０１０ｂとなり、差分演算手段４０５において誤差信号Ｅｘ１は００１０ｂとなる。分配係数がＫａ＝０、Ｋｂ＝０、Ｋｃ＝１、Ｋｄ＝０なのでこの誤差Ｅｘ１＝００１０ｂは全てＫｃ方向つまり一行下の画素へ分配されるため、一行下の同じ列にあたる画素（ｘ、２）の入力信号Ｉｘ２に同様に００００１０１０．００１０ｂが入力されてくると誤差Ｓｘ２＝００１０ｂが加算され、補正信号Ｉ'ｘ２は００００１０１０．０１００ｂとなる。階調数変換手段４０３において補正信号Ｉ'ｘ２は出力信号Ｐｘ２＝００００１０１０ｂ、差分演算手段４０５において誤差信号Ｅｘ２＝０１００ｂとなり同様の処理が繰り返されていく。そして８行目の入力Ｉｘ８＝００００１０１０．００１０ｂに対してその画素（ｘ、８）に対応する誤差Ｓｘ８が１１１０ｂになっており、入力補正手段４０１において補正信号Ｉ'ｘ８は００００１０１１．００００ｂとなりここで始めて桁上がりとなる。階調数変換手段４０３で出力信号Ｐｘ８は００００１０１１ｂ、差分演算手段４０５において誤差信号は００００ｂとなり７行目までの出力信号Ｐｘ（１〜７）の００００１０１０ｂと異なる値となる。つまり７行目までは誤差の溜りが桁上がりしない領域５０１となり、８行目以降は誤差溜りが桁上がりする領域５０２となる。この極端条件の場合領域５０２に入った後も８行毎しか桁上がりしないという周期性を持つが、従来の誤差拡散法ではＫａ〜Ｋｄの係数を周期的に入れ替えることや、特許第１９３９２０２号のように分配係数をランダムに入れ替えるのでこの領域５０２内の周期性は消える。同じく領域５０１に関しても特許第１９３９２０２号の場合はこの極端条件とは異なる誤差の溜り方をするが、それでも特に入力信号の一画素当たりの誤差量が少ない場合には、如何に分配係数を振ろうとも、もともと少ない誤差量が桁上がりをするまで溜まるのにある程度の画素数を必要とするため、誤差の桁上がりが起こらない��域５０１と誤差の桁上がりが起こる領域５０２が存在し、領域５０１と領域５０２の間に境界線５０４つまりはテクスチャが発生し画質の劣化要因となっている。
【非特許文献１】Ｒ．ＦＬＯＹＤ  ＆  Ｌ．ＳＴＥＩＮＢＥＲＧ，"Ａｎ  Ａｄａｐｔｉｖｅ  Ａｌｇｏｒｉｔｈｍ  ｆｏｒ  Ｓｐａｔｉａｌ  Ｇｒｅｙ  Ｓｃａｌｅ"  ＳＩ  Ｄ７５ＤＩＧＥＳＴ，  ｐｐ３６−３７
【発明の開示】
【発明が解決しようとする課題】
【０００６】
本発明は、離散的な階調表示方法を用いた表示装置に関するものであり、薄型・軽量のディスプレイ装置として知られているプラズマディスプレイ装置や液晶表示装置やＥＬ表示装置やＳＥＤ表示装置やＦＥＤ表示装置の階調表示方法及び装置に関するものであり、従来の技術では解消できない画面端の境界線（テクスチャ）を除去することと従来技術以上に滑らかな階調性を実現することを目的とするものである。
【課題を解決するための手段】
【０００７】
本願請求項１の発明は、画素単位でサンプリングした多階調の信号レベルの階調数を変換する際に、注目画素の階調数変換誤差をその周辺の画素位置に対応させて記憶するための誤差記憶手段と、注目画素の入力レベルと前記誤差記憶手段内の注目画素位置に対応した集積誤差を加算し補正レベルを出力する入力補正手段と、前記補正レベルを予め定められた変換階調数に従って注目画素の階調数を変換する階調数変換手段と、前記補正レベルと階調数変換後レベルの差分により階調数変換誤差を求める差分演算手段と、前記階調数変換誤差を任意であり定常の配分係数か、任意であり定期的に切り替わる分配係数か、任意でありランダムに切り替わる分配係数か、に従って注目画素の周辺の未処理画素に分配する誤差配分値を算出し前記誤差配分値を前記誤差記憶手段内の対応する画素位置の集積誤差と加算し再び記憶させる誤差演算分配手段と、を具備する画像信号処理装置において、任意の信号経路上に挿入された信号レベルをランダム且つ同じ割合で±ｎする信号レベル補正手段を使用することを特長とした画像信号処理方法。
【０００８】
本願請求項２の発明は、画素単位でサンプリングした多階調の信号レベルの階調数を変換する際に、注目画素の階調数変換誤差をその周辺の画素位置に対応させて記憶するための誤差記憶手段と、注目画素の入力レベルと前記誤差記憶手段内の注目画素位置に対応した集積誤差を加算し補正レベルを出力する入力補正手段と、前記補正レベルを予め定められた変換階調数に従って注目画素の階調数を変換する階調数変換手段と、前記補正レベルと階調数変換後レベルの差分により階調数変換誤差を求める差分演算手段と、前記階調数変換誤差を任意であり定常の配分係数か、任意であり定期的に切り替わる分配係数か、任意でありランダムに切り替わる分配係数か、に従って注目画素の周辺の未処理画素に分配する誤差配分値を算出し前記誤差配分値を前記誤差記憶手段内の対応する画素位置の集積誤差と加算し再び記憶させる誤差演算分配手段と、を具備する画像信号処理装置において、任意の信号経路上に挿入された信号レベルをランダム且つ同じ割合で±ｎする信号レベル補正手段と、入力信号のレベルやパターンや画素位置に応じて前記信号レベル補正手段の機能をＯＮ／ＯＦＦさせることと、入力信号のレベルやパターンや画素位置に応じて前記信号レベル補正手段の±ｎの値を変更させることと、前記誤差演算分配手段が分配係数を切り替える機能を有する場合には入力信号のレベルやパターンや画素位置に応じてその分配係数切り替え機能をＯＮ／ＯＦＦさせることと、入力信号のレベルやパターンや画素位置に応じて前記誤差演算分配手段の分配係数の値自体を変更させることと、が出来る乱数補正判定手段と、を使用することを特長とした画像信号処理方法。
【０００９】
本願請求項３の発明は、画素単位でサンプリングした多階調の信号レベルの階調数を変換する際に、注目画素の階調数変換誤差をその周辺の画素位置に対応させて記憶するための誤差記憶手段と、注目画素の入力レベルと前記誤差記憶手段内の注目画素位置に対応した集積誤差を加算し補正レベルを出力する入力補正手段と、前記補正レベルを予め定められた変換階調数に従って注目画素の階調数を変換する階調数変換手段と、前記補正レベルと階調数変換後レベルの差分により階調数変換誤差を求める差分演算手段と、前記階調数変換誤差を任意であり定常の配分係数か、任意であり定期的に切り替わる分配係数か、任意でありランダムに切り替わる分配係数か、に従って注目画素の周辺の未処理画素に分配する誤差配分値を算出し前記誤差配分値を前記誤差記憶手段内の対応する画素位置の集積誤差と加算し再び記憶させる誤差演算分配手段と、を具備する画像信号処理装置において、前記誤差演算分配手段が分配係数を切り替える機能を有する場合には入力信号のレベルやパターンや画素位置に応じてその分配係数切り替え機能をＯＮ／ＯＦＦさせることと、入力信号のレベルやパターンや画素位置に応じて前記誤差演算分配手段の分配係数の値自体を変更させることと、が出来る乱数補正判定手段と、を使用することを特長とした画像信号処理方法。
【００１０】
本願請求項４の発明は、請求項１もしくは請求項２もしくは請求項３記載の画像信号処理方法を使用した表示装置であることを特長とする。
【発明の効果】
【００１１】
本発明による画像処理方法によれば、従来の技術では解消できない、画面端の境界線（ストラクチャ）を除去することが可能となり、またその他のテクスチャを低減もしくは除去する効果も十分ある。
【発明を実施するための最良の形態】
【００１２】
本発明の第１の実施の形態における画像信号処理方法について図１、図５を用いて説明する。従来例で取りきれない画面端の境界線５０４は誤差の溜りが桁上がりしない領域５０１が存在することにより発生する。つまり本来桁上がりをする誤差が溜まらない筈の領域５０１で強制的に桁上がりをする誤差を溜めてやればこの領域５０１は消失する。そこで図１に示すように誤差拡散回路の信号経路上に信号レベル補正手段１３０か１３１か１３２か１３３か、誤差経路上に信号レベル補正手段１４０か１４１か１４２か、のいずれか一つ若しくは複数を入力してやることで、本来桁上がりをする誤差が溜まらない筈の領域５０１で強制的に桁上がりをする誤差を溜めこの領域５０１を消失させ、画面端の境界線５０４を除去することに成功した。本発明の信号レベル補正手段１３０〜１３３と１４０〜１４２は同等の機能を有するものであるが、信号経路に挿入する場合と誤差経路に挿入する場合は扱うビット数が異なるため１０の位の番号を変え、挿入する場所の違いを１の位の番号を変えることで表している。
【００１３】
この信号レベル補正手段１３０〜１３３と１４０〜１４２の動作の詳細を、従来の技術における画面端境界線発生のメカニズム解説で使用した、画面全領域に輝度が１０．１２５の均一な信号が入力されたとき、整数部を８ビットの表示信号Ｐｘｙ、小数部を４ビットの誤差信号Ｅｘｙとして扱い、図５に示す分配係数Ｋａ〜ＫｄがそれぞれＫａ＝０、Ｋｂ＝０、Ｋｃ＝１、Ｋｄ＝０という極端な条件を例にして説明する。先に述べたようにこの場合７行目以前が領域５０１、８行目以降が領域５０２となるが、ここで例えば信号レベル補正手段１３１を挿入し、Ｉ'ｘｙに±０．５ｄつまり±０．１０００ｂの補正をランダムに加えてやると誤差の溜りが早くなる画素と遅くなる画素が出来き、画素によっては８行目を待たずして桁上がりの発生する画素も出現することになる。これにより７行目と８行目の間に発生していた境界線は消失することになる。±ｎの信号レベル補正値ｎは固定値である必要はなく、画面依存で調整可能なものであっても良いが、＋ｎと−ｎの発生回数が不均等だと本来の表示されるべき階調の画面総和が変わってしまうので、発生回数は均等になるようにしなければならない。また実際の回路では信号や誤差は２進数として扱われるのでリミッターを設ける必要がある。リミッターの必要性に関して４ビットの誤差信号に±０００１ｂの補正をかける場合を一例に説明すると、もしリミッターを設けないと本来誤差量は±０００１ｂしか補正されない筈が下式のように、
４'ｂ００００  −  ４'ｂ０００１  ＝  ４'ｂ１１１１
４'ｂ１１１１  ＋  ４'ｂ０００１  ＝  ４'ｂ００００
と極端に誤差量が変化してしまい、これは画面上には輝点や暗点として現れ、チラツキやザラツキといった画質劣化要因となる。従って上式のような誤差量の極端な変化が起こらないようリミッターを設けてやる必要がある。
【００１４】
以上によって従来の誤差拡散手法では取りきれなかった画面端の境界線（テクスチャ）を除去することが可能となり、またそれ以外のテクスチャに関しても低減若しくは除去することが可能となった。
【００１５】
本発明の第２の実施の形態における画像信号処理方法について図１と図２を用いて説明する。本発明の第１の実施の形態で使用した誤差拡散処理法にでは画面端の境界線（テクスチャ）を除去することが可能となり、またそれ以外のテクスチャに関しても低減若しくは除去することが可能となったが、逆に画質劣化を招く場合も存在する。もし入力信号Ｉｘｙが１０．０００ｄ＝００００１０１０．００００ｂであった場合、誤差Ｅｘｙは００００ｂとなり誤差は一切発生しない。つまり前記したような周期性のあるテクスチャも無ければ、画面端の境界線も発生しない。そこに図１のように信号レベル補正手段１３０〜１３３や１４０〜１４２を挿入すると強制的に誤差を発生させてしまうため均一であるはずの画面に粒状ノイズを発生させてしまうことになる。従って図２に示すように乱数補正判定手段２１０を用い入力信号の信号レベルやそのパターンや処理画素位置に従い信号レベル補正手段２３０〜２３３や２４０〜２４２の信号補正機能をＯＮ／ＯＦＦしたり、±ｎの乱数補正のｎ値を可変したり、更には誤差演算分配手段４２０の分配係数の乱数入れ替え機能のＯＮ／ＯＦＦや、誤差演算分配手段の分配係数の係数値を可変するなどの操作を行うことで、本来均一であるはずの画面に粒状ノイズを発生させるなどの不具合を排除することに成功した。ここで信号レベル補正手段２３０〜２３３と２４０〜２４２は本発明の第１の実施の形態で説明した信号レベル補正手段１３０〜１３３と１４０〜１４２に乱数補正判定手段２１０からの信号を受けて信号補正機能をＯＮ／ＯＦＦしたり、±ｎの乱数補正のｎ値を可変したり出来る機能を付加したものである。この乱数補正判定手段２１０を用いた誤差拡散処理法では、例えば前記したような誤差のない入力信号レベルが一定期間続いた場合は信号レベル補正手段２３０〜２３３や２４０〜２４２の信号補正機能をＯＦＦする、例えば誤差の溜まり難い画面端（つまり領域５０１に当たる）では信号レベル補正手段２３０〜２３３や２４０〜２４２の±ｎ乱数補正のｎ値を大きくして誤差を溜まり易くし以外の領域では徐々に小さくする、同様に例えば誤差の溜まり難い画面端では誤差演算分配手段４２０の分配係数をＫａ、Ｋｃ方向に大きくしそれ以外では徐々に戻していく、等と信号レベルや信号パターンや処理画素位置によって処理の方法を制御し最適な誤差拡散をするものである。
【００１６】
本発明の第３の実施の形態における画像信号処理方法について図３を用いて説明する。本発明の第２の実施の形態で使用した誤差拡散処理法から信号レベル補正手段２３０〜２３３や２４０〜２４２を除いた誤差拡散処理法であるが、図３に示すように乱数補正判定手段２１０を用いて誤差演算分配手段４２０の分配係数の乱数入れ替え機能のＯＮ／ＯＦＦや、誤差演算分配手段の分配係数の係数値を可変するなどの操作を行うことでテクスチャや画面端境界線の低減効果は期待できる。回路規模は本発明の第２の実施の形態における画像信号処理方法よりも小さく出来る点が長所である。
【００１７】
本発明の第４の実施の形態における画像信号処理装置は本発明の第１〜３の実施の形態で説明した誤差拡散処理法を使用した表示装置であり、従来の技術では実現できなかったテクスチャの低減された映像や画面端境界線の無い映像を表示できるものである。
【産業上の利用可能性】
【００１８】
本発明にかかる画像信号処理方法及び表示装置は、画面端の境界線（ストラクチャ）を除去することが可能となる、離散的な階調表示方法を用いた表示装置に関するものであり、薄型・軽量のディスプレイ装置として知られているプラズマディスプレイ装置や液晶表示装置やＥＬ表示装置やＳＥＤ表示装置やＦＥＤ表示装置の階調表示方法及び装置において有用である。
【図面の簡単な説明】
【００１９】
【図１】本発明第一の実施の形態による画像処理方法を示す図
【図２】本発明第二の実施の形態による画像処理方法を示す図
【図３】本発明第三の実施の形態による画像処理方法を示す図
【図４】従来例の画像処理方法を示す図
【図５】従来例で取り切れない画面端境界線を示す図
【符号の説明】
【００２０】
１３０    信号レベル補正手段
１３１    信号レベル補正手段
１３２    信号レベル補正手段
１３３    信号レベル補正手段
１４０    信号レベル補正手段
１４１    信号レベル補正手段
１４２    信号レベル補正手段
２３０    信号レベル補正手段
２３１    信号レベル補正手段
２３２    信号レベル補正手段
２３３    信号レベル補正手段
２４０    信号レベル補正手段
２４１    信号レベル補正手段
２４２    信号レベル補正手段
２１０    乱数補正判定手段
４００    入力端子
４０１    入力補正手段
４０２    変換階調数入力端子
４０３    階調数変換手段
４０４    出力端子
４０５    差分演算手段
４０６    誤差記憶手段
４０７    集積誤差Ｓｘｙの記憶位置（＝注目画素）
４０８    注目画素の周辺画素領域の誤差記憶位置
４２０    誤差演算配分手段
５０１    閾値を超える誤差が溜まり切らない領域
５０２    一度閾値を超える誤差が溜まった後の領域
５０３    誤差が拡散していく順路
５０４    領域５０１と領域５０２の間に発生する境界線（テクスチャ）
Ｉｘｙ    画素（ｘ、ｙ）の入力信号
Ｉ'ｘｙ    画素（ｘ、ｙ）の入力補正信号
Ｐｘｙ    画素（ｘ、ｙ）の出力信号
Ｅｘｙ    画素（ｘ、ｙ）の誤差信号
Ｓｘｙ    画素（ｘ、ｙ）の集積誤差信号
【図１】
2007108291.tif 000003
【図２】
2007108291.tif 000004
【図３】
2007108291.tif 000005
【図４】
2007108291.tif 000006
【図５】
2007108291.tif 000007